(57)【特許請求の範囲】
【請求項１】
主として浴室内で使用されるリモコン本体と、そのリモコン本体を収容するリモコンホルダとを備え、前記リモコン本体の本体ケースには、その本体ケースの外面に、内側へ凹んだケース凹部が形成され、そのケース凹部の略中心部分に、前記本体ケースの内外を連通させる通気孔が設けられ、その通気孔は、空気は通過させるが水の通過は阻止する多孔質膜によって前記本体ケースの内側から塞がれている浴室用のワイヤレスリモコン装置において、
前記ケース凹部は、水が溜まる底部の幅が、前記通気孔が設けられた中心部の幅以上の幅広に形成されていることを特徴とする浴室用のワイヤレスリモコン装置。
【請求項２】
前記ケース凹部の周縁部には、少なくとも前記底部の底面の周縁部に面取りが施されていることを特徴とする請求項１に記載の浴室用のワイヤレスリモコン装置。
【請求項３】
前記本体ケースと前記リモコンホルダとの少なくとも一方には、前記リモコン本体を前記リモコンホルダに収容した状態で前記リモコン本体と前記リモコンホルダとの隙間から水が前記ケース凹部へ浸入するのを防止する浸入防止リブが形成されていることを特徴とする請求項１又は２に記載の浴室用のワイヤレスリモコン装置。
【請求項４】
前記浸入防止リブは前記リモコンホルダに、前記リモコン本体を前記リモコンホルダに収容した状態で前記ケース凹部を取り囲むように形成されていることを特徴とする請求項３に記載の浴室用のワイヤレスリモコン装置。
【請求項５】
前記浸入防止リブは、前記本体ケースと前記リモコンホルダとの両方に形成され、前記リモコン本体を前記リモコンホルダに収容した状態では、前記本体ケースに形成された前記浸入防止リブと、前記リモコンホルダに形成された前記浸入防止リブとが交互に配置されることを特徴とする請求項３又は４に記載の浴室用のワイヤレスリモコン装置。
【請求項６】
前記リモコンホルダには、前記リモコン本体を前記リモコンホルダに収容した状態で前記ケース凹部と対面する部位に、前記リモコン本体と前記リモコンホルダとの隙間から前記ケース凹部へ浸入しようとする水が流れ込むホルダ凹部又はホルダ孔が形成されていることを特徴とする請求項１〜５の何れかに記載の浴室用のワイヤレスリモコン装置。
【発明の詳細な説明】
【０００１】
【発明の属する技術分野】
本発明は、主に浴室内で使用されて浴室温風乾燥装置や給湯装置等を遠隔操作する浴室用のワイヤレスリモコン装置に関するものである。
【０００２】
【従来の技術】
浴室用のワイヤレスリモコン装置は、一般的に、主として浴室内で使用されるリモコン本体と、そのリモコン本体を収容するリモコンホルダとを備え、このリモコンホルダが浴室内の壁面等に取り付けられるようになっている。
【０００３】
図１１は、従来のリモコン本体の一例を示す裏面図である。図１２は、図１１に示すもののＸ−Ｘ矢視断面図である。図１１，図１２に示すリモコン本体Ａは、図示を省略したリモコンホルダに、本体ケースＢの赤外線照射面Ｂ１を上にして収容されるようになっている。リモコン本体Ａの本体ケースＢ内には、電気回路基板Ｃ等の電気部品が収容されている。本体ケースＢの裏面Ｂ２には、内側へ凹んだケース凹部Ｄが形成され、そのケース凹部Ｄの中心部分には、本体ケースＢの内外を連通させる通気孔Ｅが設けられている。そして、この通気孔Ｅは、空気は通過させるが水の通過は阻止する多孔質膜Ｆによって本体ケースＢの内側から塞がれている。
【０００４】
従って、このリモコン本体Ａは、通気孔Ｅから本体ケースＢ内へ水が浸入するのを多孔質膜Ｆによって阻止するようになっている。しかも、浴室内の室温が上昇して本体ケースＢ内の空気が膨張した場合には、本体ケースＢ内の空気を通気孔Ｅから本体ケースＢ外へ排気でき、浴室内の室温が下降して本体ケースＢ内の空気が収縮した場合には、本体ケースＢ外の空気を通気孔Ｅから本体ケースＢ内へ吸気できるようになっている。そして、通気孔Ｅからの給排気によって本体ケースＢの膨張・収縮を防止し、リモコン本体Ａの長寿命化と信頼性の向上とを図るようになっている。なお、多孔質膜Ｆに関しては、例えば特開平７−１３１８７２号公報等に記載されている。
【０００５】
【発明が解決しようとする課題】
図１３は、図１１に示すもののケース凹部に水が溜まった状態を示す裏面図である。図１３に示すように、従来の浴室用のワイヤレスリモコン装置では、リモコン本体Ａの本体ケースＢに円形のケース凹部Ｄが形成されており、このケース凹部Ｄに溜まった水Ｍが表面張力でせり上がって通気孔Ｅを覆い易い。このため、従来の浴室用のワイヤレスリモコン装置には、ケース凹部Ｄに溜まった水Ｍが通気孔Ｅ内へ吸引され通気孔Ｅを塞いで通気孔Ｅからの給排気を機能不全に陥れ易い、という問題がある。
【０００６】
そこで、本発明では、リモコン本体の本体ケースに円形のケース凹部が形成されている従来品と比べて、ケース凹部に溜まる水による通気孔の閉塞が発生しにくく、従って、通気孔からの給排気が機能不全になるのを防止することができる浴室用のワイヤレスリモコン装置を提供することを目的としている。
【０００７】
【課題を解決するための手段】
請求項１に記載の発明は、主として浴室内で使用されるリモコン本体と、そのリモコン本体を収容するリモコンホルダとを備え、前記リモコン本体の本体ケースには、その本体ケースの外面に、内側へ凹んだケース凹部が形成され、そのケース凹部の略中心部分に、前記本体ケースの内外を連通させる通気孔が設けられ、その通気孔は、空気は通過させるが水の通過は阻止する多孔質膜によって前記本体ケースの内側から塞がれている浴室用のワイヤレスリモコン装置において、前記ケース凹部は、水が溜まる底部の幅が、前記通気孔が設けられた中心部の幅以上の幅広に形成されていることを特徴としている。
【０００８】
この請求項１に記載の発明によれば、以下の作用が得られる。
（１）ケース凹部は、水が溜まる底部の幅が、通気孔が設けられた中心部の幅以上の幅広に形成されているので、リモコン本体の本体ケースに円形のケース凹部が形成されている従来品と比べケース凹部の底部の容積を拡大させて、ケース凹部の底部に溜まる水の表面張力によるせり上がりを低く抑えることができる。このため、ケース凹部に溜まる水による通気孔の閉塞が従来品と比べて発生しにくくなり、従って、通気孔からの給排気が機能不全になるのを防止することができる。
【０００９】
なお、ケース凹部は、水が溜まる底部の幅が、通気孔が設けられた中心部の幅以上の幅広に形成されていれば良い。従って、ケース凹部の底部の幅は、ケース凹部の中心部の幅と同一であっても良く、ケース凹部の中心部の幅より幅広であっても良い。
【００１０】
請求項２に記載の発明は、請求項１に記載の浴室用のワイヤレスリモコン装置であって、前記ケース凹部の周縁部には、少なくとも前記底部の底面の周縁部に面取りが施されていることを特徴としている。
【００１１】
このため、請求項２に記載の発明によれば、請求項１に記載の発明の作用に加えて以下の作用が得られる。
（１）請求項１に記載の発明と比べて、周縁部の面取りにより水が流下し易いので、ケース凹部の底部に水が溜まりにくくなり、ケース凹部に溜まる水による通気孔の閉塞がより発生しにくくなる。従って、通気孔からの給排気が機能不全になるのを、より確実に防止することができる。
【００１２】
なお、ケース凹部の周縁部に施される面取りは、平面状の面取りであっても良く、あるいは、曲面状の面取りであっても良い。また、面取りは、ケース凹部の少なくとも底部の底面の周縁部に施されていれば良い。従って、ケース凹部の周縁部全周に面取りが施されていても良いのは勿論のことである。更に、面取りは、例えば底部の底面全体が傾斜面となるように施されていても良い。
【００１３】
請求項３に記載の発明は、請求項１又は２に記載の浴室用のワイヤレスリモコン装置であって、前記本体ケースと前記リモコンホルダとの少なくとも一方には、前記リモコン本体を前記リモコンホルダに収容した状態で前記リモコン本体と前記リモコンホルダとの隙間から水が前記ケース凹部へ浸入するのを防止する浸入防止リブが形成されていることを特徴としている。
【００１４】
このため、請求項３に記載の発明によれば、請求項１又は２に記載の発明の作用に加えて以下の作用が得られる。
（１）リモコン本体をリモコンホルダに収容した状態でリモコン本体とリモコンホルダとの隙間から水が本体ケースのケース凹部へ浸入しケース凹部の底部に溜まるのを、浸入防止リブによって防止することができる。従って、ケース凹部に溜まる水による通気孔の閉塞を浸入防止リブによって防止することができ、その結果、通気孔からの給排気が機能不全になるのを防止することができる。
【００１５】
請求項４に記載の発明は、請求項３に記載の浴室用のワイヤレスリモコン装置であって、前記浸入防止リブは前記リモコンホルダに、前記リモコン本体を前記リモコンホルダに収容した状態で前記ケース凹部を取り囲むように形成されていることを特徴としている。
【００１６】
このため、請求項４に記載の発明によれば、請求項３に記載の発明の作用に加えて以下の作用が得られる。
（１）リモコン本体とリモコンホルダとの隙間から水が本体ケースのケース凹部へ浸入してケース凹部の底部に溜まるのを、リモコン本体をリモコンホルダに収容した状態でケース凹部を取り囲むように形成されたリモコンホルダの浸入防止リブによって確実に防止することができる。従って、ケース凹部に溜まる水による通気孔の閉塞をリモコンホルダの浸入防止リブによって確実に防止することができ、その結果、通気孔からの給排気が機能不全になるのを防止することができる。
【００１７】
請求項５に記載の発明は、請求項３又は４に記載の浴室用のワイヤレスリモコン装置であって、前記浸入防止リブは、前記本体ケースと前記リモコンホルダとの両方に形成され、前記リモコン本体を前記リモコンホルダに収容した状態では、前記本体ケースに形成された前記浸入防止リブと、前記リモコンホルダに形成された前記浸入防止リブとが交互に配置されることを特徴としている。
【００１８】
このため、請求項５に記載の発明によれば、請求項３又は４に記載の発明の作用に加えて以下の作用が得られる。
（１）リモコン本体とリモコンホルダとの隙間から水がリモコン本体の本体ケースを伝わって本体ケースのケース凹部へ浸入しケース凹部の底部に溜まるのを、本体ケースに形成された浸入防止リブによって防止することができる。加えて、リモコン本体とリモコンホルダとの隙間から水がリモコンホルダを伝わって本体ケースのケース凹部へ浸入しケース凹部の底部に溜まるのを、リモコンホルダに形成された浸入防止リブによって防止することもできる。しかも、本体ケースの浸入防止リブとリモコンホルダの浸入防止リブとは交互に配置されるので、ケース凹部に溜まる水による通気孔の閉塞を、本体ケースの浸入防止リブとリモコンホルダの浸入防止リブとが協働して防止することができ、その結果、通気孔からの給排気が機能不全になるのを防止することができる。
【００１９】
請求項６に記載の発明は、請求項１〜５の何れかに記載の浴室用のワイヤレスリモコン装置であって、前記リモコンホルダには、前記リモコン本体を前記リモコンホルダに収容した状態で前記ケース凹部と対面する部位に、前記リモコン本体と前記リモコンホルダとの隙間から前記ケース凹部へ浸入しようとする水が流れ込むホルダ凹部又はホルダ孔が形成されていることを特徴としている。
【００２０】
このため、請求項６に記載の発明によれば、請求項１〜５の何れかに記載の発明の作用に加えて以下の作用が得られる。
（１）リモコン本体をリモコンホルダに収容した状態でリモコン本体とリモコンホルダとの隙間から本体ケースのケース凹部へ浸入しようとする水をホルダ凹部又はホルダ孔へ逃がして、ケース凹部の底部に水が溜まるのを防止することができる。従って、ケース凹部に溜まる水による通気孔の閉塞をホルダ凹部又はホルダ孔によって防止することができ、その結果、通気孔からの給排気が機能不全になるのを防止することができる。
【００２１】
【発明の実施の形態】
図１は、本発明の実施形態の一例を示す斜視図である。図１に示すように、この浴室用のワイヤレスリモコン装置１は、主として浴室内で使用されるリモコン本体２と、そのリモコン本体２を収容するリモコンホルダ３とを備えている。このリモコンホルダ３は、浴室内の壁面等に取り付けられるようになっており、リモコン本体２は、その本体ケース１０の赤外線照射面１０ａを上にしてリモコンホルダ３に収容されるようになっている。
【００２２】
図２は、図１に示すもののリモコン本体を示す裏面図である。図３は、図２に示すもののＹ−Ｙ矢視断面図である。図４は、図３の要部を拡大して示す断面図である。図２〜図４に示すように、リモコン本体２の本体ケース１０は、上ケース１１と下ケース１２とが溶着されて形成されている。本体ケース１０内は水密に密閉され、本体ケース１０内には、電気回路基板２１，赤外線ＬＥＤ２２，液晶表示装置２３等の電気部品が収容されている。本体ケース１０の上ケース１１にはパネルスイッチ２４が複数取り付けられ、これらのパネルスイッチ２４は、上ケース１１に貼着された防水シート２５によって気密に覆われている。
【００２３】
下ケース１２には、乾電池を収容する電池収容室１３が形成され、この電池収容室１３は、下ケース１２にビス止め固定された蓋部材１４によって水密に密閉されている。本体ケース１０の裏面１０ｂには、注意事項が刻印された刻印領域１５と蓋部材１４との間に、内側へ凹んだケース凹部１６が形成され、そのケース凹部１６の中心部分には、本体ケース１０の内外を連通させる通気孔１７が設けられている。そして、この通気孔１７は、空気は通過させるが水の通過は阻止する多孔質膜２６によって本体ケース１０の内側から塞がれている。この多孔質膜２６は、通気性と高撥水性とを有している。
【００２４】
ケース凹部１６は、水が溜まる底部の幅Ｗ１が、通気孔１７が設けられた中心部の幅Ｗ２と同一幅のカマボコ型に形成されている。ケース凹部１６の周縁部１６ａには、前記底部の底面１６ｂの周縁部１６ｃに、平面状の面取りが施されて傾斜面が形成されている。本体ケース１０には、ケース凹部１６と刻印領域１５との間に、リモコン本体２をリモコンホルダ３に収容した状態でリモコン本体２とリモコンホルダ３との隙間から水がケース凹部１６へ浸入するのを防止する浸入防止リブ１８が形成されている。なお、図４において、符号２７と符号２８とは防水用のゴムパッキンを示している。
【００２５】
図５は、図１に示すもののリモコンホルダを示す平面図である。図６は、図５に示すもののＺ−Ｚ矢視断面図である。図７は、図１に示すものの要部を拡大して示す断面図である。図５〜図７に示すように、リモコンホルダ３の底面３ａには、リモコン本体２をリモコンホルダ３に収容した状態で本体ケース１０のケース凹部１６と対面する部位に、リモコン本体２とリモコンホルダ３との隙間からケース凹部１６へ浸入しようとする水が流れ込むホルダ凹部３１が形成されている。このホルダ凹部３１は、ケース凹部１６の中心部の幅Ｗ２より幅広で上下方向の長さＬ１がケース凹部１６の上下方向の長さＬ２（図２参照）より長い長穴状に形成されている。
【００２６】
ホルダ凹部３１の上方部分の周縁部には、リモコン本体２をリモコンホルダ３に収容した状態でリモコン本体２とリモコンホルダ３との隙間から水がリモコン本体２のケース凹部１６へ浸入するのを防止する浸入防止リブ３２が形成されている。この浸入防止リブ３２は、リモコン本体２をリモコンホルダ３に収容した状態では、リモコン本体２のケース凹部１６を取り囲むようになっている。また、ホルダ凹部３１を臨むリモコンホルダ３の底面３ａの上端縁部にも、リモコン本体２をリモコンホルダ３に収容した状態でリモコン本体２とリモコンホルダ３との隙間から水がリモコン本体２のケース凹部１６へ浸入するのを防止する浸入防止リブ３３が形成されている。
【００２７】
図７に示すように、リモコン本体２の本体ケース１０に形成された浸入防止リブ１８は、リモコン本体２をリモコンホルダ３に収容した状態では、リモコンホルダ３の両浸入防止リブ３２，３３の間に位置するようになっている。すなわち、本体ケース１０の浸入防止リブ１８とリモコンホルダ３の両浸入防止リブ３２，３３とは、リモコン本体２をリモコンホルダ３に収容した状態では交互に配置されるようになっている。
【００２８】
図５，図６に示すように、ホルダ凹部３１の下方部分には、リモコンホルダ３を浴室の壁面等にビス止め固定するためのビス孔３４が設けられている。リモコンホルダ３の底面３ａの下方領域中央部には、リモコンホルダ３をビス止め固定するためのビス用凹部３５と、そのビス用凹部３５の下方に位置しビス用凹部３５と連通する矩形の排水孔３６とが形成されている。そして、ビス用凹部３５の中心部分にもビス穴３４が設けられている。なお、図５，図６において、符号３７は、リモコン本体２を保持する保持部を示し、符号３８は、リモコン本体２を載置させる載置部を示している。
【００２９】
以上説明したように、この浴室用のワイヤレスリモコン装置１では、リモコン本体２の本体ケース１０に形成されたケース凹部１６は、水が溜まる底部の幅Ｗ１が、通気孔１７が設けられた中心部の幅Ｗ２と同一幅に形成されている。これに対し従来品では、図１１に示すように、リモコン本体Ａの本体ケースＢに円形のケース凹部Ｄが形成されている。このため、従来品と比べケース凹部１６の底部の容積を拡大させて、ケース凹部１６の底部に溜まる水Ｍ（図８参照）の表面張力によるせり上がりを低く抑えることができる。従って、ケース凹部１６に溜まる水Ｍによる通気孔１７の閉塞が従来品と比べて発生しにくくなり、その結果、通気孔１７からの給排気が機能不全になるのを防止することができる。
【００３０】
しかも、ワイヤレスリモコン装置１では、ケース凹部１６の底面１６ｂの周縁部１６ｃに面取りが施されている。このため、図８に示すように、ケース凹部１６の底部に水が溜まりにくくなり、ケース凹部１６に溜まる水Ｍによる通気孔１７の閉塞がより発生しにくくなる。従って、通気孔１７からの給排気が機能不全になるのを、より確実に防止することもできる。
【００３１】
また、ワイヤレスリモコン装置１では、本体ケース１０に浸入防止リブ１８が形成され、リモコンホルダ３にも２本の浸入防止リブ３２，３３が形成されている。このため、リモコン本体２をリモコンホルダ３に収容した状態でリモコン本体２とリモコンホルダ３との隙間から水が本体ケース１０のケース凹部１６へ浸入しケース凹部１６の底部に溜まるのを、３本の浸入防止リブ１８，３２，３３によって防止することができる。従って、ケース凹部１６に溜まる水Ｍによる通気孔１７の閉塞を浸入防止リブ１８，３２，３３によって防止することができ、この点でも、通気孔１７からの給排気が機能不全になるのを防止することができる。
【００３２】
しかも、リモコンホルダ３の浸入防止リブ３２は、リモコン本体２をリモコンホルダ３に収容した状態では本体ケース１０のケース凹部１６を取り囲むように形成されている。このため、リモコン本体２とリモコンホルダ３との隙間から水が本体ケース１０のケース凹部１６へ浸入しケース凹部１６の底部に溜まるのを、リモコンホルダ３の浸入防止リブ３２によって確実に防止することもできる。従って、ケース凹部１６に溜まる水Ｍによる通気孔１７の閉塞を浸入防止リブ３２によって確実に防止することもでき、この点でも、通気孔１７からの給排気が機能不全になるのを防止することができる。
【００３３】
ところで、リモコンホルダ３の両浸入防止リブ３２，３３は、リモコン本体２とリモコンホルダ３との隙間から水がリモコンホルダ３を伝わって本体ケース１０のケース凹部１６へ浸入しケース凹部１６の底部に溜まるのを防止する。本体ケース１０の浸入防止リブ１８は、リモコン本体２とリモコンホルダ３との隙間から水が本体ケース１０を伝わって本体ケース１０のケース凹部１６へ浸入しケース凹部１６の底部に溜まるのを防止する。しかも、本体ケース１０の浸入防止リブ１８は、リモコン本体２をリモコンホルダ３に収容した状態では、リモコンホルダ３の両浸入防止リブ３２，３３の間に位置し、この両浸入防止リブ３２，３３とは交互に配置されるようになっている。従って、本体ケース１０の浸入防止リブ１８とリモコンホルダ３の両浸入防止リブ３２，３３とは互いに協働して、ケース凹部１６に溜まる水Ｍによる通気孔１７の閉塞を防止することができ、この点でも、通気孔１７からの給排気が機能不全になるのを防止することができる。
【００３４】
更に、リモコンホルダ３の底面３ａには、リモコン本体２をリモコンホルダ３に収容した状態で本体ケース１０のケース凹部１６と対面する部位に、リモコン本体２とリモコンホルダ３との隙間からケース凹部１６へ浸入しようとする水が流れ込むホルダ凹部３１が形成されている。このため、リモコン本体２とリモコンホルダ３との隙間から本体ケース１０のケース凹部１６へ浸入しようとする水をリモコンホルダ３のホルダ凹部３１へ逃がして、ケース凹部１６の底部に水が溜まるのを防止することができる。従って、ケース凹部１６に溜まる水Ｍによる通気孔１７の閉塞をホルダ凹部３１によって防止することもでき、この点でも、通気孔１７からの給排気が機能不全になるのを防止することができる。
【００３５】
なお、以上説明した浴室用のワイヤレスリモコン装置１では、ケース凹部１６は本体ケース１０の裏面１０ｂに形成されている。しかし、ケース凹部１６は、本体ケース１０の外面に形成されていれば良く、従って、例えば本体ケース１０の側面等に形成されていても良い。
【００３６】
また、浴室用のワイヤレスリモコン装置１では、リモコン本体２の本体ケース１０に形成されたケース凹部１６は、水が溜まる底部の幅Ｗ１が、通気孔１７が設けられた中心部の幅Ｗ２と同一幅に形成されている。しかし、ケース凹部１６は、図９，図１０に一例を示すように、底部の幅Ｗ１が中心部の幅Ｗ２より幅広であっても良い。底部の幅Ｗ１を中心部の幅Ｗ２より幅広にした場合は、底部の幅Ｗ１が中心部の幅Ｗ２と同一の場合と比べケース凹部１６の底部の容積を拡大させて、ケース凹部１６の底部に溜まる水の表面張力によるせり上がりを低く抑えることができるので好ましい。
【００３７】
また、浴室用のワイヤレスリモコン装置１では、通気孔１７はケース凹部１６の中心部分に設けられている。しかし、通気孔１７は、ケース凹部１６の中心部分より上方に設けても良い。通気孔１７をケース凹部１６の中心部分より上方に設けた場合は、ケース凹部１６の底面１６ｂから通気孔１７までの距離が長くなり、ケース凹部１６の底部に溜まる水Ｍによる通気孔１７の閉塞をより確実に防止することができる。
【００３８】
また、浴室用のワイヤレスリモコン装置１では、ケース凹部１６の底面１６ｂの周縁部１６ｃに面取りが施されている。この面取りに加えて、あるいは、この面取りに代えて、ケース凹部１６の底面１６ｂの周縁部１６ｃに、ケース凹部１６の底部に溜まる水Ｍを流下させる流下溝を設けても良い。この流下溝によって、ケース凹部１６の底部に溜まる水Ｍによる通気孔１７の閉塞を防止することができるからである。
【００３９】
更に、ワイヤレスリモコン装置１では、リモコンホルダ３に、リモコン本体２とリモコンホルダ３との隙間から本体ケース１０のケース凹部１６へ浸入しようとする水が流れ込むホルダ凹部３１が形成されている。しかし、リモコンホルダ３には、ホルダ凹部３１に代えてホルダ孔を形成しても良い。すなわち、リモコンホルダ３には、リモコン本体２をリモコンホルダ３に収容した状態で本体ケース１０のケース凹部１６と対面する部位に、リモコン本体２とリモコンホルダ３との隙間からケース凹部１６へ浸入しようとする水が流れ込むホルダ孔を形成しても良い。
【００４０】
【発明の効果】
請求項１に記載の発明によれば以下の効果が得られる。
（１）ケース凹部は、水が溜まる底部の幅が、通気孔が設けられた中心部の幅以上の幅広に形成されているので、リモコン本体の本体ケースに円形のケース凹部が形成されている従来品と比べケース凹部の底部の容積を拡大させて、ケース凹部の底部に溜まる水の表面張力によるせり上がりを低く抑えることができる。このため、ケース凹部に溜まる水による通気孔の閉塞が従来品と比べて発生しにくくなり、従って、通気孔からの給排気が機能不全になるのを防止することができる。
【００４１】
請求項２に記載の発明によれば、請求項１に記載の発明の効果に加えて以下の効果が得られる。
（１）ケース凹部の少なくとも底部の底面の周縁部に面取りが施されているので、請求項１に記載の発明と比べて、ケース凹部の底部に水が溜まりにくくなり、ケース凹部に溜まる水による通気孔の閉塞がより発生しにくくなる。従って、通気孔からの給排気が機能不全になるのを、より確実に防止することができる。
【００４２】
請求項３に記載の発明によれば、請求項１又は２に記載の発明の効果に加えて以下の効果が得られる。
（１）リモコン本体をリモコンホルダに収容した状態でリモコン本体とリモコンホルダとの隙間から水が本体ケースのケース凹部へ浸入しケース凹部の底部に溜まるのを、浸入防止リブによって防止することができる。従って、ケース凹部に溜まる水による通気孔の閉塞を浸入防止リブによって防止することができ、その結果、通気孔からの給排気が機能不全になるのを防止することができる。
【００４３】
請求項４に記載の発明によれば、請求項３に記載の発明の効果に加えて以下の効果が得られる。
（１）リモコン本体とリモコンホルダとの隙間から水が本体ケースのケース凹部へ浸入してケース凹部の底部に溜まるのを、リモコン本体をリモコンホルダに収容した状態でケース凹部を取り囲むように形成されたリモコンホルダの浸入防止リブによって確実に防止することができる。従って、ケース凹部に溜まる水による通気孔の閉塞をリモコンホルダの浸入防止リブによって確実に防止することができ、その結果、通気孔からの給排気が機能不全になるのを防止することができる。
【００４４】
請求項５に記載の発明によれば、請求項３又は４に記載の発明の効果に加えて以下の効果が得られる。
（１）リモコン本体とリモコンホルダとの隙間から水がリモコン本体の本体ケースを伝わって本体ケースのケース凹部へ浸入しケース凹部の底部に溜まるのを、本体ケースに形成された浸入防止リブによって防止することができる。加えて、リモコン本体とリモコンホルダとの隙間から水がリモコンホルダを伝わって本体ケースのケース凹部へ浸入しケース凹部の底部に溜まるのを、リモコンホルダに形成された浸入防止リブによって防止することもできる。しかも、本体ケースの浸入防止リブとリモコンホルダの浸入防止リブとは交互に配置されるので、ケース凹部に溜まる水による通気孔の閉塞を、本体ケースの浸入防止リブとリモコンホルダの浸入防止リブとが協働して防止することができ、その結果、通気孔からの給排気が機能不全になるのを防止することができる。
【００４５】
請求項６に記載の発明によれば、請求項１〜５の何れかに記載の発明の効果に加えて以下の効果が得られる。
（１）リモコン本体をリモコンホルダに収容した状態でリモコン本体とリモコンホルダとの隙間から本体ケースのケース凹部へ浸入しようとする水をホルダ凹部又はホルダ孔へ逃がして、ケース凹部の底部に水が溜まるのを防止することができる。従って、ケース凹部に溜まる水による通気孔の閉塞をホルダ凹部又はホルダ孔によって防止することができ、その結果、通気孔からの給排気が機能不全になるのを防止することができる。
【図面の簡単な説明】
【図１】本発明の実施形態の一例を示す斜視図である。
【図２】図１に示すもののリモコン本体を示す裏面図である。
【図３】図２に示すもののＹ−Ｙ矢視断面図である。
【図４】図３の要部を拡大して示す断面図である。
【図５】図１に示すもののリモコンホルダを示す平面図である。
【図６】図５に示すもののＺ−Ｚ矢視断面図である。
【図７】図１に示すものの要部を拡大して示す断面図である。
【図８】図２に示すもののケース凹部に水が溜まった状態を示す要部裏面図である。
【図９】ケース凹部の他の一例を示す要部裏面図である。
【図１０】ケース凹部の更に他の一例を示す要部裏面図である。
【図１１】従来のリモコン本体の一例を示す裏面図である。
【図１２】図１１に示すもののＸ−Ｘ矢視断面図である。
【図１３】図１１に示すもののケース凹部に水が溜まった状態を示す要部裏面図である。
【符号の説明】
１  ワイヤレスリモコン装置
２  リモコン本体
３  リモコンホルダ
３ａ  リモコンホルダの底面
１０  本体ケース
１０ａ  本体ケースの赤外線照射面
１０ｂ  本体ケースの裏面
１１  上ケース
１２  下ケース
１３  電池収容室
１４  蓋部材
１５  刻印領域
１６  ケース凹部
１６ａ  ケース凹部の周縁部
１６ｂ  ケース凹部の底面
１６ｃ  ケース凹部の底面の周縁部
１７  通気孔
１８，３２，３３  浸入防止リブ
２１  電気回路基板
２２  赤外線ＬＥＤ
２３  液晶表示装置
２４  パネルスイッチ
２５  防水シート
２６  多孔質膜
２７，２８  ゴムパッキン
３１  ホルダ凹部
３４  ビス孔
３５  ビス用凹部
３６  排水孔
３７  保持部
３８  載置部
Ｌ１  ホルダ凹部の長さ
Ｌ２  ケース凹部の長さ
Ｍ  ケース凹部に溜まる水
Ｗ１  ケース凹部の底部の幅
Ｗ２  ケース凹部の中心部の幅
【図１】
0004495368.tif 000002
【図２】
0004495368.tif 000003
【図３】
0004495368.tif 000004
【図４】
0004495368.tif 000005
【図５】
0004495368.tif 000006
【図６】
0004495368.tif 000007
【図７】
0004495368.tif 000008
【図８】
0004495368.tif 000009
【図９】
0004495368.tif 000010
【図１０】
0004495368.tif 000011
【図１１】
0004495368.tif 000012
【図１２】
0004495368.tif 000013
【図１３】
0004495368.tif 000014